(57)【要約】【課題】入力された会話内容に基づいて会話参加メンバーの意向を集計することが可能な情報処理装置、情報処理方法、およびプログラムを提供する。【解決手段】入力された会話内容に含まれる所定の単語に基づいて、各会話参加メンバーの認否に関する意向を集計する集計部と、前記集計部による集計結果を出力するよう制御する出力制御部と、を備える、情報処理装置。【選択図】図２
2017018016.tif 000002
【特許請求の範囲】
【請求項１】
入力された会話内容に含まれる所定の単語に基づいて、各会話参加メンバーの認否に関する意向を集計する集計部と、
前記集計部による集計結果を出力するよう制御する出力制御部と、
を備える、情報処理装置。
【請求項２】
前記集計部は、入力された会話内容の解析結果に基づいて検出された、参加、不参加、または保留に関連する単語に基づいて、各会話参加メンバーの参加、不参加、保留、または未回答の数を集計する、請求項１に記載の情報処理装置。
【請求項３】
前記集計部は、入力された会話内容の解析結果に基づいて検出された、参加人数に関連する単語に基づいて、参加者数を集計する、請求項２に記載の情報処理装置。
【請求項４】
前記集計部は、入力された会話内容の解析結果に基づいて検出された、賛成、反対、または保留に関連する単語に基づいて、各会話参加メンバーの賛成、反対、保留、または未回答の数を集計する、請求項１に記載の情報処理装置。
【請求項５】
前記情報処理装置は、
会話中から抽出した話題の要約を生成する生成部をさらに備え、
前記出力制御部は、前記生成された話題の要約と前記集計結果を出力する、請求項１に記載の情報処理装置。
【請求項６】
前記出力制御部は、前記集計結果を文字列または図表で表示するための画面生成情報を出力するよう制御する、請求項１に記載の情報処理装置。
【請求項７】
前記出力制御部は、ユーザからリクエストがあった時、ユーザが前記会話内容を表示させた時、または、入力される会話が一定時間無かった時に、現時点までの集計結果を表示するよう制御する、請求項１に記載の情報処理装置。
【請求項８】
前記出力制御部は、前記会話内容が表示されている画面と同画面上に前記集計結果を表示するよう制御する、請求項１に記載の情報処理装置。
【請求項９】
前記出力制御部は、入力された会話内容の解析結果から検出された回答期限に関連する単語に応じたタイミングでリマインド情報を出力するよう制御する、請求項１に記載の情報処理装置。
【請求項１０】
前記出力制御部は、ユーザリクエストに応じて、前記入力された会話内容の解析結果から検出された回答期限に関連する単語に基づくリマインド情報を出力するよう制御する、請求項１に記載の情報処理装置。
【請求項１１】
前記リマインド情報は、前記入力された会話内容が表示され前記各会話参加メンバーが共有して閲覧できる画面上に表示される、請求項９に記載の情報処理装置。
【請求項１２】
前記リマインド情報は、保留または未回答の会話参加メンバー宛にメール送信される、請求項９に記載の情報処理装置。
【請求項１３】
前記リマインド情報は、回答期限に関連する単語を含む既出の会話内容と、リマインド時点における集計結果を含む、請求項９に記載の情報処理装置。
【請求項１４】
前記出力制御部は、入力された会話内容の解析結果から検出された、決定に関連する単語に基づいて、前記集計結果を決定事項として出力するよう制御する、請求項１に記載の情報処理装置。
【請求項１５】
プロセッサが、
入力された会話内容に含まれる所定の単語に基づいて、各会話参加メンバーの認否に関する意向を集計することと、
前記集計する処理の集計結果を出力するよう制御することと、
を含む、情報処理方法。
【請求項１６】
コンピュータを、
入力された会話内容に含まれる所定の単語に基づいて、各会話参加メンバーの認否に関する意向を集計する集計部と、
前記集計部による集計結果を出力するよう制御する出力制御部と、
として機能させるための、プログラム。
【発明の詳細な説明】
【技術分野】
【０００１】
本開示は、情報処理装置、情報処理方法、およびプログラムに関する。
【背景技術】
【０００２】
近年、インターネットを活用したコミュニケーションサービスの利用が活発になっている。以前から複数人での電子メールでのコミュニケーションや、インターネット掲示板の利用により複数人での意思決定が行われてきたが、近年ではグループチャットやグループでのショートメッセージサービス等の利用により、会話がよりリアルタイムで行われ、短時間で多人数から多数のコメントが投稿される状況が頻繁に起こり得る。【０００３】
メッセージ群の集約に関する技術としては、例えば下記のような技術がある。具体的には、例えば特許文献１には、テキスト情報から提示用の話題を表すパターンにマッチする提示用の話題群を抽出する技術が記載されている。また、特許文献２には、スレッドのテキスト要約を提示し、ユーザがスレッドの重要性または関連性を速やかに理解することができることが記載されている。
【先行技術文献】
【特許文献】
【０００４】
【特許文献１】特開２００７−３０４８７２号公報
【特許文献２】特表２０１４−５２４０８９号公報
【発明の概要】
【発明が解決しようとする課題】
【０００５】
しかしながら、特許文献１に記載の技術は、テキスト情報から話題の抽出をすることは可能であっても、会話の流れに基づく会話全体の意向は抽出できていない。また、特許文献２に記載の技術では、会話の流れに基づく会話参加メンバーの現時点での意向を提示することはできていない。【０００６】
ネットワークを活用したコミュニケーションサービスにおいて、グループに属する複数人がリアルタイムで会話を行い、短時間で多人数から多数のコメントが投稿される状況では、会話に参加していない少しの間にコメントが溜まり、全体の意向を把握することが困難であった。また、入力された会話が時系列的に次々と表示されると、重要なコメントが埋もれてしまうことが生じていた。【０００７】
そこで、本開示では、入力された会話内容に基づいて会話参加メンバーの意向を集計することが可能な情報処理装置、情報処理方法、およびプログラムを提案する。
【課題を解決するための手段】
【０００８】
本開示によれば、入力された会話内容に含まれる所定の単語に基づいて、各会話参加メンバーの認否に関する意向を集計する集計部と、前記集計部による集計結果を出力するよう制御する出力制御部と、を備える、情報処理装置を提案する。【０００９】
本開示によれば、プロセッサが、入力された会話内容に含まれる所定の単語に基づいて、各会話参加メンバーの認否に関する意向を集計することと、前記集計する処理の集計結果を出力するよう制御することと、を含む、情報処理方法を提案する。【００１０】
本開示によれば、コンピュータを、入力された会話内容に含まれる所定の単語に基づいて、各会話参加メンバーの認否に関する意向を集計する集計部と、前記集計部による集計結果を出力するよう制御する出力制御部と、として機能させるための、プログラムを提案する。
【発明の効果】
【００１１】
以上説明したように本開示によれば、入力された会話内容に基づいて会話参加メンバーの意向を集計することが可能となる。【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の一実施形態による情報処理システムの全体構成を示す図である。
【図２】本実施形態によるサーバの構成の一例を示すブロック図である。
【図３】本実施形態による集計処理を示すフローチャートである。
【図４】本実施形態による表示処理を示すフローチャートである。
【図５】本実施形態による集計結果の表示画面の一例を示す図である。
【図６】本実施形態による集計結果をグラフ形式で示す図である。
【図７】本実施形態による集計結果が電子メールのスレッドと同画面に表示される例を示す図である。
【図８】本実施形態による決定事項登録処理を示すフローチャートである。
【図９】本実施形態による決定事項の表示画面の一例を示す図である。
【図１０】本実施形態の応用例１によるリマインド配信時の画面表示例を示す図である。
【図１１】本実施形態の応用例２による複数ＡＰにまたがる集計処理を示すフローチャートである。
【図１２】本実施形態の応用例３によるイベント当日に決定事項を利用した際の表示画面例を示す図である。
【図１３】本実施形態の応用例４による画像集計処理を行った際の集計結果の表示画面例を示す図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、説明は以下の順序で行うものとする。
１．本開示の一実施形態による情報処理システムの概要
２．構成例
３．動作処理例
３−１．集計処理
３−２．表示処理
３−３．決定処理
４．応用例
４−１．リマインド
４−２．複数ＡＰにまたがる集計処理
４−３．イベント当日における決定事項の利用
４−４．画像集計処理
５．まとめ
【００１６】
＜＜１．本開示の一実施形態による情報処理システムの概要＞＞
まず、本開示の一実施形態による情報処理システムについて、図１を参照して説明する。図１は、本開示の一実施形態による情報処理システムの全体構成を示す図である。図１に示すように、本実施形態による情報処理システムは、複数のユーザ端末１（１Ａ、１Ｂ、１Ｃ）と、サーバ２（情報処理装置の一例）とを含む。ユーザ端末１は、例えばネットワーク３を介して接続される。ユーザ端末１は、図１に示すスマートフォンに限定されず、例えば携帯電話端末、タブレット端末、ノートＰＣ（Personal Computer）、または各種ウェアラブル端末（例えばスマートグラス、スマートウォッチ、スマートバンド、またはスマートネック）等であってもよい。
【００１７】
複数ユーザは、それぞれユーザ端末１（１Ａ、１Ｂ、１Ｃ）を用いてネットワーク３を介したコミュニケーションサービスを利用し得る。コミュニケーションサービスの一例としては、例えば電子メールサービス、グループチャットサービス、グループでのショートメッセージサービス、グループでのＳＮＳ（Social Networking Service）等が想定される。これらのコミュニケーションサービスの提供は、サーバ２により行われてもよいし、他の専用サーバ（不図示）により行われてもよい。
【００１８】
複数ユーザがネットワーク３を介して上記のようなコミュニケーションサービスを利用する場合、会話がよりリアルタイムで行われ、短時間に多人数からの多数のコメントが投稿される状況となるため、しばらく会話を見ていなかったり、途中から会話に参加したりすると、話題を把握することが難しい。また、会話の状況や話の流れ、グループメンバー全体の意思や意向を把握することも困難となる場合がある。特に、入力された会話が時系列的に次々と表示される形態の場合、重要なコメントが埋もれ、探索するのが手間であった。例えば食事に行く計画を立てている場合に、ある提案に対してグループチャットに参加している大多数の人が賛成の意向を示しており、ユーザが途中からチャットに参加した場合、全体の意向を知るためには、「私も賛成」「その日なら行ける」等のコメントを遡って、個々のコメントを確認する必要があった。
【００１９】
ここで、本実施形態によるサーバ２は、ネットワーク３を介して行われている上記コミュニケーションサービスにおいて各ユーザにより入力された会話内容を解析し、参加メンバー全体の意向を集計し、「９割の人が賛成しています。未回答は１割です。」といった集計結果をユーザに提示する。これにより、ユーザは、しばらく会話を見ていなかったり、途中から会話に参加したりした場合であっても、全体の意向を容易に把握することができる。また、サーバ２は、入力された会話内容を解析して抽出した話題や話題の要約と共に上記集計結果をユーザに提示することも可能である。
【００２０】
このように、本実施形態による情報処理システムでは、入力された会話内容に基づいて会話参加メンバーの意向を集計することが可能となる。以下、情報処理システムに含まれるサーバ２の構成例について図２を参照して具体的に説明する。
【００２１】
＜＜２．構成例＞＞
図２は、本実施形態によるサーバ２の構成の一例を示すブロック図である。図２に示すように、サーバ２は、制御部２００、通信部２１０、会話記憶部２２０、話題記憶部２３０、キーワード記憶部２４０、および集計結果記憶部２５０を有する。なおサーバ２は、本開示による情報処理装置の一例である。
【００２２】
（制御部２００）
制御部２００は、演算処理装置および制御装置として機能し、各種プログラムに従ってサーバ２内の動作全般を制御する。制御部２００は、例えばＣＰＵ（Central  Processing  Unit）、マイクロプロセッサ等の電子回路によって実現される。また、制御部２００は、使用するプログラムや演算パラメータ等を記憶するＲＯＭ（Read  Only  Memory）、及び適宜変化するパラメータ等を一時記憶するＲＡＭ（Random  Access  Memory）を含んでいてもよい。
【００２３】
また、本実施形態による制御部２００は、図２に示すように、会話解析部２０１、話題抽出部２０２、集計キーワード検出部２０３、集計部２０４、出力制御部２０５、要約生成部２０６、決定キーワード検出部２０７、決定処理部２０８として機能する。
【００２４】
会話解析部２０１は、ユーザ端末１から入力された情報（ここでは会話内容であって、例えばテキストまたは音声が想定される）を解析する機能を有する。具体的には、会話解析部２０１は、例えば入力情報に基づくテキスト（文字列であって、音声入力の場合は音声をテキスト化したもの）に対して形態素解析を行い、単語または／および熟語を解析結果として取得する。
【００２５】
会話解析部２０１が解析の対象とする入力情報とは、ネットワーク３を介して複数人が行うコミュニケーションにおける会話内容であって、上述したように、テキストまたは音声が想定される。また、会話解析部２０１は、通信部２１０が受信した会話内容をリアルタイムで解析する。会話解析部２０１は、ネットワーク３を介して複数人が行うコミュニケーションにおける会話内容を、通信部２１０がネットワーク３を介してユーザ端末１から直接受信してもよいし、コミュニケーションサービスを提供する専用サーバから受信してもよい。また、サーバ２の制御部２００が、電子メール、チャット、ＳＭＳ、または電子掲示板等のコミュニケーションサービスを提供する機能も有する場合、会話解析部２０１は、かかる機能を実行するコミュニケーション実行部（不図示）から取得してもよい。
【００２６】
話題抽出部２０２は、会話解析部２０１の解析結果として取得された単語または／および熟語から、話題を抽出する。抽出した話題は、話題記憶部２３０に記憶される。話題の抽出方法については特に限定しないが、例えばキーワード記憶部２４０に予め登録された話題語（話題キーワード）を含む文字列の意味解析結果や、頻出度が高いキーワードを含む文字列の意味解析結果等に基づいて抽出される。
【００２７】
集計キーワード検出部２０３は、会話解析部２０１の解析結果として取得された単語または／および熟語から、集計対象となる集計キーワードと一致または／および類似する単語または／および熟語を検出する。集計対象となる集計キーワードとは、会話参加メンバーの認否に関する意向を集計するためのキーワードであって、例えば参加、不参加、賛成、反対、または保留に関連するものが一例として挙げられる。このような集計キーワードは、キーワード記憶部２４０に予め登録される。また、集計キーワード検出部２０３は、キーワード記憶部２４０に予め登録された集計キーワードのうち、話題抽出部２０２によって抽出された話題に応じて検出対象とする集計キーワードを選択してもよい。例えば集計キーワード検出部２０３は、イベントや旅行等に関する話題が抽出された際は参加・不参加に関連する集計キーワードを選択し、意見募集や議論等の話題が抽出された際は賛成・反対に関連する集計キーワードを選択する。
【００２８】
集計部２０４は、集計キーワード検出部２０３により検出された集計キーワードに基づいて、会話参加メンバーの認否に関する意向を集計する。集計結果は、集計結果記憶部２５０に格納される。
【００２９】
例えば集計部２０４は、参加、不参加、賛成、反対、保留、または未回答の数を算出する。集計部２０４は、同じユーザから複数の回答がある場合は最新の入力情報のみに基づいて集計するようにしてもよい。また、集計部２０４は、集計キーワード検出部２０３により、一のユーザが複数人を代表する回答が検出された場合、これを考慮して集計する。例えば集計部２０４は、「家族４人で参加します。」といった入力情報から、「家族４人」「参加」といった集計キーワードが検出された場合、参加者数４名として集計する。集計部２０４による集計タイミングは特に限定しないが、例えば常時行ってもよいし、一定時間毎に行ってもよいし、会話が入力される度に行ってもよいし、ユーザからのリクエストに応じて行ってもよいし、出力制御部２０５による出力タイミングに応じて行ってもよい。
【００３０】
出力制御部２０５は、集計部２０４により集計された集計結果をユーザ端末１に出力するよう制御する。具体的には、出力制御部２０５は、ユーザ端末１の表示画面に集計結果を表示するための画面生成情報を生成し、当該画面生成情報を、通信部２１０からネットワーク３を介してユーザ端末１へ送信するよう制御する。集計結果は、例えばテキストまたは／および図表により表示され得る。また、集計結果は、ユーザ端末１の表示画面において、会話参加メンバーの会話内容が表示されている同画面上に表示され得る。また、出力制御部２０５による集計結果のユーザ端末１への出力タイミングは特に限定しないが、例えばユーザからリクエストがあった時、ユーザがユーザ端末１において入力された会話参加メンバーの会話内容を表示させた時、または、入力される会話が一定時間無かった時に、現時点までの集計結果を出力するよう制御する。
【００３１】
さらに出力制御部２０５は、後述する要約生成部２０６により生成された要約と併せて集計結果をユーザ端末１に出力するよう制御することも可能である。
【００３２】
また、出力制御部２０５は、入力された会話内容の解析結果から決定キーワード検出部２０７により検出された、決定に関連する単語に基づいて、決定処理部２０８により決定登録された集計結果を決定事項として出力するよう制御する。また、出力制御部２０５は、決定登録が行われた時点で、参加メンバー全員（ユーザ端末１Ａ〜１Ｃ）に決定事項を通知するよう制御してもよい。
【００３３】
要約生成部２０６は、話題抽出部２０２により抽出された話題に基づいて、要約を生成する機能を有する。要約生成方法については特に限定しないが、例えば要約生成部２０６は、抽出された話題に関連する単語を含む文字列を利用したり、話題に関連する単語を連結したりして、要約（テキスト）を生成する。
【００３４】
決定キーワード検出部２０７は、会話解析部２０１の解析結果として取得された単語または／および熟語から、決定処理のトリガとなる決定キーワードと一致または／および類似する単語または／および熟語を検出する。決定キーワードは、例えば「決定」「決まり」「ＯＫ」「そうしよう」「いいね」「お任せします」「では、これでいきましょう」といった意思決定を意味するキーワードである。このような決定キーワードは、キーワード記憶部２４０に予め登録される。
【００３５】
決定処理部２０８は、会話参加メンバーの意向を集計した集計結果を決定事項として登録する機能を有する。決定処理部２０８は、決定キーワード検出部２０７により決定キーワードが検出された場合（さらには少なくとも提案者（「これでいいですか？」等の会話を入力したユーザ）以外の全参加メンバーの会話から意思決定のキーワードが検出された場合）に、決定処理を行う。若しくは、決定処理部２０８は、入力された会話の解析結果から得られた回答期限を経過した場合（または後述するリマインダ後も一定時間回答がなかった場合）、その時点で決定処理を行ってもよい。
【００３６】
具体的には、決定処理部２０８は、例えば会話内容に含まれる決定キーワードの前後にある場所、時間、人数を示すキーワードに基づいて集計された集計結果（または直近の集計結果）を、決定事項として昇格させ、登録する。決定事項の登録処理は、例えば集計結果記憶部２５０に格納されている集計結果に決定フラグを立てることで行ってもよい。
【００３７】
（通信部２１０）
通信部２１０は、有線／無線により他の装置との間でデータの送受信を行うための通信モジュールである。例えば通信部２１０は、ネットワーク３を介してユーザ端末１（１Ａ、１Ｂ、１Ｃ）と接続し、データの送受信を行う。
【００３８】
（会話記憶部２２０）
会話記憶部２２０は、通信部２１０を介して受信した、複数ユーザがネットワーク３を介して行っているコミュニケーションにおける会話内容（テキスト、音声、画像、または音声／画像をテキスト化したもの）を格納する。画像をテキスト化したものとは、例えば画像解析結果に基づくテキスト画像の文字列化や、イラストにより表現されている意味の文字列化である。
【００３９】
（話題記憶部２３０）
話題記憶部２３０は、話題抽出部２０２により抽出された話題や、要約生成部２０６により生成された要約を格納する。
【００４０】
（キーワード記憶部２４０）
キーワード記憶部２４０は、集計処理や決定処理に用いられる集計キーワード、決定キーワードを記憶する。また、各キーワードは、話題の種類に紐付けられていてもよい。
【００４１】
（集計結果記憶部２５０）
集計結果記憶部２５０は、集計部２０４による集計結果を記憶する。また、集計結果記憶部２５０は、出力制御部２０５により決定事項として出力された集計結果について決定フラグを立ててもよい。
【００４２】
以上、本実施形態によるサーバ２の構成について具体的に説明した。続いて、本実施形態による情報処理システムの動作処理について具体的に説明する。
【００４３】
＜＜３．動作処理例＞＞
ここでは一例として、テキストまたは音声等の何等かの入力手段によりユーザ端末１で入力され、グループに登録された複数人ユーザの間で行われている会話から、イベント等の開催案内（話題の一例）を抽出し、会話の集計結果の提示を行う。
【００４４】
＜３−１．集計処理＞
まず、本実施形態による集計処理について図３を参照して説明する。図３は、本実施形態による集計処理を示すフローチャートである。
【００４５】
図３に示すように、まず、サーバ２の制御部２００は、会話解析部２０１により入力された会話の解析を行い、集計キーワード検出部２０３により、参加可否に関するキーワード（集計キーワード）および当該キーワードの発言者を検出する（ステップＳ１０３）。
【００４６】
次に、制御部２００は、集計キーワード検出部２０３により検出された集計キーワードに基づいて、集計部２０４により、参加意思を示す人数の加算（ステップＳ１０６）、不参加意思を示す人数の加算（ステップＳ１０９）、または保留意思を示す人数の加算（ステップＳ１１２）を行う。
【００４７】
次いで、制御部２００は、集計部２０４により、グループ人数および回答者数に基づいて、未回答者数を算出する（ステップＳ１１５）。
【００４８】
次に、制御部２００は、集計部２０４により、同じ人物が回答を撤回または変更した場合、参加／不参加／保留の人数を再算出する（ステップＳ１１８）。
【００４９】
そして、制御部２００は、集計処理が終了するまで、上記ステップＳ１０３〜Ｓ１２１を繰り返す（ステップＳ１２１）。
【００５０】
＜３−２．表示処理＞
続いて、上記集計処理により集計された結果を可視化し、ユーザに提示する表示処理について図４を参照して説明する。図４は、本実施形態による表示処理を示すフローチャートである。
【００５１】
図４に示すように、まず、制御部２００は、図３を用いて上述した集計処理を行う（ステップＳ２０３）。
【００５２】
次に、制御部２００は、集計結果の表示トリガが有ったか否かを判断する（ステップＳ２０６）。集計結果の表示トリガは、例えばユーザからリクエストがあった場合（例えば「集計」と入力された場合）、ユーザがスレッドを開いた場合（すなわち、会話内容が表示される画面がユーザ端末１において開かれた場合）、または最終会話から所定時間経過した場合等が想定される。
【００５３】
次いで、制御部２００は、出力制御部２０５により、現時点での集計結果（すなわち途中の（未決定の）集計結果）をユーザ端末１に表示させるよう制御する（ステップＳ２０９）。この際、出力制御部２０５は、ユーザ端末１の表示画面において、最終会話の次に集計結果を表示させてもよい。また、出力制御部２０５は、集計結果をテキストまたは図表で表示させてもよい。以下、このような集計結果を会話内容と同画面に表示する表示画面例を、図５〜図７に示す。
【００５４】
図５は、本実施形態による集計結果の表示画面の一例を示す図である。図示された例では、画面３００に、グループメンバーの会話内容（テキスト３０１、３０２、３０３、３０４、３０５）と、集計結果３０６が表示されている。集計結果３０６は、ここまでの集計結果として、参加者の人数（さらには参加者の詳細（大人、子供等）や備考（遅刻情報等）を含む）と、欠席者の人数と、未回答者の人数とを含む。回答保留者がいる場合は保留者の人数も含まれる。集計結果３０６は、会話内容が時系列で順次表示される場合、最新の情報として、最終会話（ここでは、テキスト３０５）の次に表示される。
【００５５】
図６は、本実施形態による集計結果をグラフ形式で示す図である。図示された例では、画面３１０に、グループメンバーの会話内容と、集計結果３１６が表示されている。集計結果３１６は、集計結果を割合で表すグラフにより表示されている。このように集計結果がグラフで表示されることで、ユーザは会話全体の現在の流れや意向（賛成が多いか、反対が多いか等）を直感的に把握することができる。
【００５６】
なお、集計結果の表示形態は上述した例に限定されず、例えばポップアップ表示されるようにしてもよいし、会話内容の表示が流れている画面領域とは別の画面領域で表示されるようにしてもよい。
【００５７】
図７は、本実施形態による集計結果が電子メールのスレッドと同画面に表示される例を示す図である。図示された例では、画面４００に、電子メールのスレッド４０１と、集計結果４０３が表示されている。集計結果４０３は、抽出された話題の要約４０３１と、詳細集計結果４０３２を含む。話題の要約４０３１は、イベントの開催内容として、「夏の伊豆旅行」、「宿泊先候補」「候補１、候補２、候補３」といった情報が含まれる。また、詳細集計結果４０３２は、候補毎の賛成／反対や、未回答、保留の数を含む。これによりユーザは、スレッド４０１の中身を全て確認することなく、集計結果４０３を閲覧することで、話題や会話の内容、流れ、および会話メンバーの意向をすぐに把握することができる。
【００５８】
また、本実施形態による集計結果は、表示画面への表示に限定されず、ユーザ端末１のスピーカから音声で通知されるようにしてもよい。また、割合や人数を明確に示すことは必ずしも必要ではなく、大よその全体の意向が把握できるようにしてもよい。例えば制御部２００は、「現在の集計状況をお知らせします。大半の人が参加表明をしています。欠席はＡさんとＢさんの２名です。」といった表現により、全体の意向を示すことも可能である。
【００５９】
次に、制御部２００は、決定事項登録処理を行う（ステップＳ２１２）。決定事項登録処理の詳細については、図８を参照して後述する。
【００６０】
次いで、決定事項が有った場合（ステップＳ２１５／Ｙｅｓ）、制御部２００は、出力制御部２０５により、決定事項をユーザ端末１に表示するよう制御する（ステップＳ２１８）。一方、決定事項が無い場合（ステップＳ２１５／Ｎｏ）、上述したステップＳ２０３〜Ｓ２１２が繰り返される。
【００６１】
＜３−３．決定処理＞
続いて、上記ステップＳ２１２に示した集計結果の決定事項登録処理について図８を参照して説明する。図８は、本実施形態による決定事項登録処理を示すフローチャートである。
【００６２】
図８に示すように、まず、制御部２００は、会話解析部２０１により、入力された会話を解析し、決定キーワード検出部２０７により集計決定事項に関するキーワード（決定キーワード）を検出する（ステップＳ３０３）。
【００６３】
次に、制御部２００は、決定処理部２０８により、決定キーワードの前後に含まれる場所、時間、人数を示すキーワードに基づく集計を集計部２０４に依頼し、集計部により集計された最新の集計結果を取得する（ステップＳ３０６）。
【００６４】
そして、制御部２００は、決定処理部２０８により、最新の集計結果を決定事項として登録する（ステップＳ３０９）。
【００６５】
以上、本実施形態による決定処理について具体的に説明した。このように登録された決定事項は、上記ステップＳ２１８において、ユーザ端末１で表示される。ここで、決定事項の表示例について図９を参照して説明する。
【００６６】
図９は、本実施形態による決定事項の表示画面の一例を示す図である。図示された例では、画面４１０に、電子メールのスレッド４１０と、集計結果４１３が表示されている。集計結果４１３は、抽出された話題の要約４１３１と、決定事項４１３２と、参加者詳細４１３３を含む。話題の要約４１３１は、図７を参照して説明した要約４０３１と同様である。決定事項４１３２は、日程や目的地等、決定登録された内容を含む。また、目的地情報に基づいて目的地のＷｅｂページのリンクを取得して画像と共に表示されてもよい。また、決定事項に含まれる参加者の詳細について、画面４１０では、参加者詳細４１３３として別の画面領域に表示されている。
【００６７】
このように決定事項が表示されることで、しばらく会話を見ていなかったユーザも、決定事項を容易に把握することができる。
【００６８】
また、サーバ２の出力制御部２０５により、決定事項をまとめた旅のしおりの様なＷｅｂページを作成し、当該Ｗｅｂページのリンクを、電子メールのスレッド４１０と同画面に「決定事項はこちら」といった表示と共に貼り付けてもよい。
【００６９】
図９に示す例では、電子メールのスレッド４１０と同画面に決定事項を表示する場合について説明したが、本実施形態はこれに限定されず、他のコミュニケーションサービス（電子掲示板、グループＳＮＳ、グループチャット）における会話内容が表示される画面上に表示してもよいし、ポップアップ等により別画面で表示してもよい。
【００７０】
＜＜４．応用例＞＞
＜４−１．リマインド＞
本実施形態による情報処理システムは、入力された会話内容の集計や要約のみならず、未回答者や回答保留者がいる場合に、リマインドメッセージを自動的に配信することも可能である。出力制御部２０５は、集計部２０４による集計結果に基づいて未回答者または回答保留者がいることを把握し、会話解析部２０１の解析結果から検出された回答期限に関連する単語に応じたタイミングで自動的にリマインドメッセージを出力してもよい。また、出力制御部２０５は、ユーザリクエストに応じて、会話解析部２０１の解析結果から検出された回答期限に関連する単語に基づくリマインドメッセージを出力してもよい。
【００７１】
このようなリマインドメッセージの表示例について図１０を参照して説明する。
【００７２】
図１０は、本実施形態の応用例１によるリマインド配信時の画面表示例を示す図である。図示された例では、画面５００に、リマインド５０１と、集計結果５０２と、入力された会話内容（テキスト５０３）と、集計結果５０４が表示されている。リマインド５０１は、自動配信またはリクエストによる配信いずれの場合も、画面５００に示されているように発言者をシステムとすることで、抵抗感なく回答を促すことができる。
【００７３】
また、リマインド５０１は、画面５００に示されているように、会話参加メンバーにより入力された会話内容が表示される共有画面上に表示されてもよい。また、リマインド５０１は、回答期限に関連する単語を含む既出の会話内容（テキスト５０１１）を含み、さらにリマインド時点における集計結果５０２と共に表示される。これにより、例えば自分の意見が求められている場合に、元のメッセージが多数のコメントに埋もれてしまい返信し損なうことを防止し、また、コメントを遡ることなく対応することが可能である。さらに、求められる意見が早急に対応するべきものか、後日でもいいのか、回答期限日を含む既出の会話と共に表示されることで、緊急度を把握し、適切に対処することが可能である。
【００７４】
また、出力制御部２０５は、画面５００に示されるように、未回答者からの回答（テキスト５０３）があった場合、再度集計された集計結果５０４を表示してもよい。
【００７５】
以上、会話が時系列で順次表示されるグループチャットの共有画面上へのリマインドメッセージ配信時の表示例について説明したが、本応用例はこれに限定されず、例えばリマインドメッセージは、電子メールにより保留または未回答の会話参加メンバー宛にメール送信されてもよい。
【００７６】
＜４−２．複数ＡＰにまたがる集計処理＞
本実施形態による情報処理システムは、一つのコミュニケーションサービス（アプリケーション（ＡＰ）とも称す）における集計に限定されず、複数ユーザが複数のＡＰにまたがって同じ話題についてやり取りをしている場合、これらをまとめて集計することも可能である。以下、このような集計処理について図１１を参照して説明する。
【００７７】
図１１は、本実施形態の応用例２による複数ＡＰにまたがる集計処理を示すフローチャートである。ここでは一例として、複数ユーザが、アプリケーションＡ（例えば電子メールサービス）、アプリケーションＢ（例えばグループチャット）、およびアプリケーションＣ（例えばアプリケーションＡとは異なる他の電子メールサービス）の少なくともいずれかを用いて各々やり取りをしている場合を想定する。すなわち、ユーザａがアプリケーションＡを利用してユーザｃ、ｄとやり取りを行い、ユーザａとユーザｂは互いにアプリケーションＢを利用してやり取りを行い、また、ユーザｂがアプリケーションＣを利用してユーザｃ、ｅとやり取りを行っている場合を想定する。
【００７８】
図１１に示すように、まず、制御部２００は、話題抽出部２０２によりアプリケーションＡから話題（話題Ａ）を抽出し（ステップＳ４０３）、アプリケーションＢから話題（話題Ｂ）を抽出し（ステップＳ４０６）、アプリケーションＣから話題（話題Ｃ）を抽出する（ステップＳ４０９）。
【００７９】
次に、制御部２００は、抽出した話題Ａ、話題Ｂ、話題Ｃが全て同じであるか否かを判断する（ステップＳ４１２）。話題が同じであるか否かは、例えば参加メンバー、日時、目的地等のキーワードが重複するか否かに応じて判断され得る。
【００８０】
次いで、全て同じ話題である場合（ステップＳ４１２／Ｙｅｓ）、制御部２００は、アプリケーションＡ、アプリケーションＢ、およびアプリケーションＣを関連付ける（ステップＳ４１５）。
【００８１】
続いて、制御部２００は、集計キーワード検出部２０３により、関連付けられたアプリケーションＡ、アプリケーションＢ、およびアプリケーションＣにおいて各々入力された会話内容の解析結果から集計キーワードを検出し、集計部２０４により参加／不参加／未回答／保留の人数を集計する（ステップＳ４１８）。集計結果は、例えばいずれかのアプリケーションによる会話画面上に表示されてもよいし、全てのアプリケーションの各々の会話画面上に表示されてもよい。
【００８２】
このように、本応用例では、複数ユーザが複数のコミュニケーションサービス（アプリケーション）に渡って複数ユーザが同じ話題についてやり取りを行っている時、ユーザは、複数のコミュニケーションサービスを確認することなく、全ての集計結果を把握することができる。
【００８３】
また、上述した処理では、同じ話題についてやり取りされている場合に複数のアプリケーションを関連付けているが、本応用例はこれに限定されず、例えば制御部２００は、所定のグループに属するメンバーが利用する他のアプリケーションで共通する話題についてコミュニケーションを行っている場合に関連付けるようにしてもよい。
【００８４】
＜４−３．イベント当日における決定事項の利用＞
また、本実施形態による決定事項は、決定されたイベント当日にも利用され得る。以下、図１２を参照して具体的に説明する。
【００８５】
図１２は、本実施形態の応用例３によるイベント当日に決定事項を利用した際の表示画面例を示す図である。図示された例では、画面６００に、地図画像６０１、決定事項６０２、会話画面６０３が表示されている。地図画像６０１は、決定事項に含まれる待ち合わせ場所付近の地図であって、当該地図上には、例えばユーザ端末１により取得された絶対位置情報に基づく待ち合わせメンバーの現在位置に、表示６０１１、６０１２、６０１３が重畳表示されている。これにより、ユーザは、待ち合わせメンバーが現在どこに居るのかを直感的に把握することができる。
【００８６】
また、決定事項６０２が会話画面６０３とは別領域に表示されることで、ユーザは、会話画面６０３をスクロール等して発言を遡り、決定内容を探索するといった手間が省ける。決定事項６０２は、例えば決定されたイベントの日時、場所（待ち合わせ場所、目的地）、および参加者等の情報を含む。これによりユーザは、待ち合わせ場所に何人来るのか（さらに参加メンバーも表示されている場合は誰が来るのか）を直感的に把握することができ、利便性が著しく向上する。
【００８７】
また、会話画面６０３は、グループ参加メンバーから入力された会話がリアルタイムで時系列に表示されている。
【００８８】
＜４−４．画像集計処理＞
また、本実施形態による集計部２０４は、複数ユーザが会話のやり取りを行っているコミュニケーションサービスにおいて画像の共有（送受信）が行われた際、画像集計を行うことが可能である。以下、図１３を参照して具体的に説明する。
【００８９】
図１３は、本実施形態の応用例４による画像集計処理を行った際の集計結果の表示画面例を示す図である。図示された例では、画面６１０に、会話内容（テキスト６１１、６１４、画像６１２、６１３）と、集計結果６１５が表示されている。
【００９０】
画面６１０に示したように、例えばグループチャットでは、テキストの他、画像を送信してグループメンバーで共有することが可能である。この場合、しばらく会話を見ていないと、皆がどの程度画像を共有したかをスクロールして遡り探索しなければならず、手間であった。また、皆がどの画像を見て盛り上がっているのかといったことも、会話を遡って探索しなければ困難であった。そこで、集計部２０４は、どのメンバーから画像がいくつ共有されたか、また、画像アップロード先のＵＲＬがテキストとして入力された場合は、アップロードがどのメンバーにより行われたかといった情報を集計し、集計結果６０５として出力され得る。集計結果６０５には、アップロード先へのアクセス人数も含まれる。これにより、どのアップロード先を皆が見ているのかといった全員の状況を把握することができる。これにより、コミュニケーションサービスの利便性がさらに向上する。
【００９１】
＜＜５．まとめ＞＞
上述したように、本開示の実施形態による情報処理システムでは、入力された会話内容に基づいて会話参加メンバーの意向を集計することが可能となる。
【００９２】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９３】
例えば、上述したサーバ２またはユーザ端末１に内蔵されるＣＰＵ、ＲＯＭ、およびＲＡＭ等のハードウェアに、サーバ２またはユーザ端末１の機能を発揮させるためのコンピュータプログラムも作成可能である。また、当該コンピュータプログラムを記憶させたコンピュータ読み取り可能な記憶媒体も提供される。
【００９４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００９５】
なお、本技術は以下のような構成も取ることができる。
（１）
入力された会話内容に含まれる所定の単語に基づいて、各会話参加メンバーの認否に関する意向を集計する集計部と、
前記集計部による集計結果を出力するよう制御する出力制御部と、
を備える、情報処理装置。
（２）
前記集計部は、入力された会話内容の解析結果に基づいて検出された、参加、不参加、または保留に関連する単語に基づいて、各会話参加メンバーの参加、不参加、保留、または未回答の数を集計する、前記（１）に記載の情報処理装置。
（３）
前記集計部は、入力された会話内容の解析結果に基づいて検出された、参加人数に関連する単語に基づいて、参加者数を集計する、前記（２）に記載の情報処理装置。
（４）
前記集計部は、入力された会話内容の解析結果に基づいて検出された、賛成、反対、または保留に関連する単語に基づいて、各会話参加メンバーの賛成、反対、保留、または未回答の数を集計する、前記（１）に記載の情報処理装置。
（５）
前記情報処理装置は、
会話中から抽出した話題の要約を生成する生成部をさらに備え、
前記出力制御部は、前記生成された話題の要約と前記集計結果を出力する、前記（１）〜（４）のいずれか１項に記載の情報処理装置。
（６）
前記出力制御部は、前記集計結果を文字列または図表で表示するための画面生成情報を出力するよう制御する、前記（１）〜（５）のいずれか１項に記載の情報処理装置。
（７）
前記出力制御部は、ユーザからリクエストがあった時、ユーザが前記会話内容を表示させた時、または、入力される会話が一定時間無かった時に、現時点までの集計結果を表示するよう制御する、前記（１）〜（６）のいずれか１項に記載の情報処理装置。
（８）
前記出力制御部は、前記会話内容が表示されている画面と同画面上に前記集計結果を表示するよう制御する、前記（１）〜（７）のいずれか１項に記載の情報処理装置。
（９）
前記出力制御部は、入力された会話内容の解析結果から検出された回答期限に関連する単語に応じたタイミングでリマインド情報を出力するよう制御する、前記（１）〜（８）のいずれか１項に記載の情報処理装置。
（１０）
前記出力制御部は、ユーザリクエストに応じて、前記入力された会話内容の解析結果から検出された回答期限に関連する単語に基づくリマインド情報を出力するよう制御する、前記（１）〜（９）のいずれか１項に記載の情報処理装置。
（１１）
前記リマインド情報は、前記入力された会話内容が表示され前記各会話参加メンバーが共有して閲覧できる画面上に表示される、前記（９）または（１０）に記載の情報処理装置。
（１２）
前記リマインド情報は、保留または未回答の会話参加メンバー宛にメール送信される、前記（９）または（１０）に記載の情報処理装置。
（１３）
前記リマインド情報は、回答期限に関連する単語を含む既出の会話内容と、リマインド時点における集計結果を含む、前記（９）〜（１２）のいずれか１項に記載の情報処理装置。
（１４）
前記出力制御部は、入力された会話内容の解析結果から検出された、決定に関連する単語に基づいて、前記集計結果を決定事項として出力するよう制御する、前記（１）〜（１３）のいずれか１項に記載の情報処理装置。
（１５）
プロセッサが、
入力された会話内容に含まれる所定の単語に基づいて、各会話参加メンバーの認否に関する意向を集計することと、
前記集計する処理の集計結果を出力するよう制御することと、
を含む、情報処理方法。
（１６）
コンピュータを、
入力された会話内容に含まれる所定の単語に基づいて、各会話参加メンバーの認否に関する意向を集計する集計部と、
前記集計部による集計結果を出力するよう制御する出力制御部と、
として機能させるための、プログラム。
【符号の説明】
【００９６】
１（１Ａ〜１Ｃ）  ユーザ端末
２  サーバ
３  ネットワーク
２００  制御部
２０１  会話解析部
２０２  話題抽出部
２０３  集計キーワード検出部
２０４  集計部
２０５  出力制御部
２０５  集計部
２０６  要約生成部
２０７  決定キーワード検出部
２０８  決定処理部
２１０  通信部
２２０  会話記憶部
２３０  話題記憶部
２４０  キーワード記憶部
２５０  集計結果記憶部
３００  画面
【図１】
2017018016.tif 000003
【図２】
2017018016.tif 000004
【図３】
2017018016.tif 000005
【図４】
2017018016.tif 000006
【図５】
2017018016.tif 000007
【図６】
2017018016.tif 000008
【図７】
2017018016.tif 000009
【図８】
2017018016.tif 000010
【図９】
2017018016.tif 000011
【図１０】
2017018016.tif 000012
【図１１】
2017018016.tif 000013
【図１２】
2017018016.tif 000014
【図１３】
2017018016.tif 000015
【国際調査報告】
2017018016.tif 000016
2017018016.tif 000017
2017018016.tif 000018
2017018016.tif 000019